(57)【特許請求の範囲】
【請求項１】
本体ケースの上面に設けた透光性の天板と、前記天板上に設けた被加熱調理容器を載置して誘導加熱により加熱する加熱部と、前記天板の下方に前記加熱部に対応して設けた加熱コイルと、前記加熱コイルの外周部に設けた導光体と、前記導光体に光を発する光源とを備え、前記導光体はその下部に光反射率が部分ごとに異なる光の反射層を設けるとともに、前記光源の光を入力しその光を前記加熱コイルの外周部の一部または全周にわたって前記天板方向に発光する構成とした誘導加熱調理器。
【請求項２】
本体ケースの上面に設けた透光性の天板と、前記天板上に設けた被加熱調理容器を載置して誘導加熱により加熱する加熱部と、前記天板の下方に前記加熱部に対応して設けた加熱コイルと、前記加熱コイルの外周部に設けた導光体と、前記導光体に光を発する光源とを備え、前記導光体は外形をドーナツ状にするとともに、その下部に光の反射層を設けて、前記光源の光を入力しその光を前記加熱コイルの外周部の一部または全周にわたって前記天板方向に発光する構成とした誘導加熱調理器。
【請求項３】
導光体の光路に対する直角方向の断面は、円形、四角形またはそれに準ずる形状とした請求項１または２に記載の誘導加熱調理器。
【発明の詳細な説明】
【０００１】
【発明の属する技術分野】
本発明は、誘導加熱調理器に関し、特に天板上の表示に関するものである。
【０００２】
【従来の技術】
誘導加熱調理器は加熱コイルに高周波電流を流し、高周波磁界を発生させ、加熱コイルと磁気結合している鍋（負荷）に渦電流によるジュール熱を発生させ、鍋自体を発熱させて調理を行う調理器である。そのため炎が見えるガス調理器や加熱部が赤熱する電気ヒータと違い加熱部を視覚的に捉えることが出来ないという問題があった。
【０００３】
この課題を解決するために、例えば、特許公報第２９０３５６１号に記載されているようなものがあった。図５において天板１の下方に設けられた被加熱鍋を誘導加熱により加熱する加熱コイル２と、この加熱コイル２の周辺に配された電球３から構成されている。そして、加熱動作と同時に加熱コイル２の周辺に配した電球３が点灯し加熱範囲を表示すること、及び本体上面に設けた鉄板の下面に受光により発光する物質を張り付け、鍋を載置して加熱動作を開始すると加熱コイルの中央に設けた電球３が発光し、その光を受け前記物質が二次発光することにより天板上に図６に示すような円４を表示することが開示されている。
【０００４】
また、特開平７−３１２２７９号公報には加熱コイルの外周に環状に複数個の加熱表示用の発光ダイオードとその外側近傍に火力表示用の発光ダイオードとを設け、加熱コイルに通電し加熱すると加熱表示用の発光ダイオードが光り加熱状態が分かるということが記載されている。
【０００５】
【発明が解決しようとする課題】
しかしながら、前記従来の構成では加熱コイル２の周辺に発光手段、例えば電球３を配した形なので、加熱コイル２に対応する加熱部の加熱部を表示するのに複数個の電球が必要であった。また、電球の数を限定すると点表示なので全体が分かりにくいという問題があった。
【０００６】
さらに、二次発光を利用した表示方法は円等の図形を比較的簡単に描くことができるが、二次発光の発光効率が悪く表示が薄くて見えにくい、また加熱コイルの中央に配した電球３の光を利用するため、電球の指向性や取り付けばらつきのため、はっきりした図形を描きにくい、さらに二次発光物質が高温の天板の下に設けられるために安定性がよくないという問題があり、いまだに実用化されていない。
【０００７】
本発明は従来の課題を解決するもので、加熱コイルに対応する加熱部の加熱範囲周辺を数少ない光源で明確に表示することができる誘導加熱調理器を提供することを目的とする。
【０００８】
【課題を解決するための手段】
本発明は前記課題を解決するために、天板上の加熱部に対応して設けた加熱コイルの周辺を囲む導光体を設ける構成とした。そしてこの導光体はその下部に光の反射層を設け一端から入った光を前記加熱コイル全周にわたって前記天板方向に発光するようにした。これによって全周にわたって発光するので天板上に加熱部を明確に表示することができる。さらに、導光体の下部に設けた光反射層の反射率を部分ごとに異ならすことにより、天板上に濃淡の異なる図形を描くことができ、あるいは、導光体の外形をドーナツ状にすることにより、円形の加熱コイルに対しては加熱部を明確に表示できる。
【０００９】
【発明の実施の形態】
請求項１に記載の発明は、本体ケースの上面に設けた透光性の天板と、前記天板上に設けた被加熱調理容器を載置して誘導加熱により加熱する加熱部と、前記天板の下方に前記加熱部に対応して設けた加熱コイルと、前記加熱コイルの外周部に設けた導光体と、前記導光体に光を発する光源とを備え、前記導光体はその下部に光反射率が部分ごとに異なる光の反射層を設けるとともに、前記光源の光を入力しその光を前記加熱コイルの外周部の一部または全周にわたって前記天板方向に発光する構成としたことにより、天板上に連続した鮮明な図形を表示するので、加熱状態を容易に確認することができる。また、導光体の下部に設けた光反射層の反射率が部分ごとに異なる構成としたことにより、天板上に濃淡の異なる図形を描くことができる。
【００１０】
また、請求項２に記載の発明は、本体ケースの上面に設けた透光性の天板と、前記天板上に設けた被加熱調理容器を載置して誘導加熱により加熱する加熱部と、前記天板の下方に前記加熱部に対応して設けた加熱コイルと、前記加熱コイルの外周部に設けた導光体と、前記導光体に光を発する光源とを備え、前記導光体は外形をドーナツ状にするとともに、その下部に光の反射層を設けて、前記光源の光を入力しその光を前記加熱コイルの外周部の一部または全周にわたって前記天板方向に発光する構成とした導光体の外形をドーナツ状にする構成としたことにより、天板上に連続した鮮明な図形を表示するので、加熱状態を容易に確認することができる。また、円形の加熱コイルに対しては加熱部を明確に表示できる。
【００１１】
また、請求項３に記載の発明は、特に、導光体の光路に対する直角方向の断面は、円形、四角形またはそれに準ずる形状としたことにより、このような導光体を、樹脂成型により容易に得ることができる。
【００１２】
【実施例】
以下、本発明の実施例について図面を用いて説明する。
【００１３】
なお本発明でいう加熱コイルの外周部とは投影面で導光体が加熱コイルの外周にあることを意味するものであって、高さ方向の位置関係を指定したものではないが、本実施例では導光体は加熱コイルの下方にあるとして説明する。
【００１４】
図２は本発明に用いる誘導加熱調理器の斜視図である。図２に示すように本体ケース５の上面に透光性の天板６が設けられている。この天板６には誘導加熱によって鍋を加熱し被調理物を調理する加熱部７と誘導加熱では使えない鍋を用いて調理するラジエントヒータ８とが設けられている。また本体ケース５の前方側面には焙焼器９と操作部１０とが設けられている。
【００１５】
図１は図２の加熱コイル７のどちらか一方の断面を示す要部断面図である。図において天板６の加熱部７上に調理鍋１１が載置される。この調理鍋１１を加熱するために天板６の下部の加熱部７すなわち調理鍋に対応する位置に加熱コイル１２を設けている。さらに加熱コイル１２の下方に導光体１３を設けている。そして、この導光体１３の大きさを加熱コイル１２の外周部を囲う程度の大きさにすることにより導光体１３よりの発光が加熱コイルに妨げられることなく天板６に達し、天板６上に加熱部７の範囲を明確に表示するようにすることができる。導光体としては、アクリル樹脂、ポリカーボネイト樹脂やガラスなど光の透過性能のよい材料を用いる。１４は電球やＬＥＤ（半導体発光素子）などからなる光源で、この光源から発した光が導光体を伝播する。１５は制御部で調理にあたっての火力の調節や光源１４の点滅などの制御を行う。
【００１６】
図３は本発明の特徴である一つの導光体と一つの光源とを一組とした発光手段の構成を示す平面図である。
【００１７】
図３において、導光体１３は円形の加熱コイル１２に対応しドーナツ状の円形とし、導光体１３の内径は加熱コイル１２の外形よりやや大きくしてある。なお、導光体の光路に対する直角方向に対する断面は円形、四角形またはそれに準ずる形状であればよい。そして、このような導光体は一般的には樹脂成型により容易に得られる。
【００１８】
導光体１３の光の入力位置には光源室１６を設け、そこに本実施例では１個の電球１４を設置している。光源室１６は導光体１３方向以外には光が放射しないように反射板で囲んでいる。電球１４から発した光は導光体１３を直進または反射を繰り返しながら伝播していく。この伝播していく過程で天板６方向に光を放射しその強度は減衰していく。このように光は導光体１３を伝播しながら天板６方向に光を放射していくので天板６には導光体１３の上面形状と同じ形状の図形が表示される。図３においては円が表示されることになる。
【００１９】
光の伝播中に光が天板６方向以外に放射されると、その強度が減衰するので、それを抑えるために、導光体上部の天板方向への発光部分以外には反射層を設けている。この反射層としては、アルミニウム、ステンレスなどの金属箔または板を用いてもよいし、金属や金属酸化物の蒸着またはスパッタを用いて形成してもよい。さらに塗装や化学的方法により反射膜を作る方法もある。いずれにせよ反射膜を設けることにより天板６方向への光の減衰を抑えることができる。
【００２０】
図４は天板６方向への発光を均一にするための導光体の構成を説明するための樹脂成型により得られた導光体の展開図であり、例えば図３はこのような形状の導光体１３を丸め円形にしたものである。図に示すように導光体１３は発光する上部１３ａを水平とし光を反射する下部１３ｂに勾配を設けた形状としている。すなわち、光を反射する下部１３ｂと、発光する上部１３ａとの間隔が光源１４より離れるにしたがい短くなっている。これにより、上部１３ａからの間隔が短いｐから入射した光は光源１４より離れた距離ｌ２で下部１３ｂにぶつかり反射し上部１３ａに向かう。また、上部からの間隔がより長い位置ｑから入射した光は光源１４に近い距離ｌ１で下部１３ｂにぶつかり反射し上部１３ａへ向かう。このようにすることにより導光体１３の上部１３ａから均一に発光することができ、天板６上に光強度が均一の図形を描くことができる。
【００２１】
次に導光体の下部１３ｂに反射層を設ける方法について述べる。反射層のうち乱反射層の設け方としては、下部１３ｂの表面を機械的に研磨し凹凸を設ける。あるいは化学的にエッチングしてもよい。このときエッチングにより凹凸面が得にくいときはマスキングを併用して行うとよい。また導光体１３を樹脂成型で行う時下部１３ｂに微細な凹凸ができるようにしてもよい。さらに下部１３ｂの表面に同種または異種の物質を吹き付けなどにより付着させ凹凸を設けてもよい。このようにして得られた凹凸面に金属粉等を付着させると乱反射層が得られる。この乱反射層に光が入射すると四囲に拡散反射するので発光の均一性が得られやすい。
【００２２】
また、鏡面反射層の設け方としては導光体下部１３ｂに前述したように蒸着、スッパタまたは塗装により金属紛による層を設ける方法あるいは金属箔または板を貼り付けるなどの方法により得ることができる。このような鏡面反射層は下部１３ｂに勾配が設けられている場合特に有効で上部１３ａからの発光を均一にすることができる。
【００２３】
また、下部１３ｂに勾配がある場合樹脂成型時に下部１３ｂの面に鋸歯状に多数の連続したプリズムを設け、このプリズムにより入射光を反射して上部１３ａから発光するようにしても均一に発光することができる。
【００２４】
さらに、光の反射層を設ける方法としては導光体１３の光の屈折率よりも屈折率の小さい物質で導光体１３を覆い、両者の界面で全反射させるようにしてもよい。
【００２５】
前記実施例では光源より入射した光を導光体１３全体にわたって均一に発光させることを目的とした場合について説明したが、天板６上に濃淡のある図形を表示したい場合は導光体１３の下部１３ｂの反射率を部分的に変えるために下部１３ｂの粗面度を変えたり、下部１３ｂに勾配のある場合は勾配を変えたりして不均一に表示させることができる。
【００２６】
また加熱コイルの外周が長く、一つの光源では光源から離れた位置では発光強度が低くなってしまう場合は光源と半円状の導光体とを１組とし、２組用いるようにすればよい。必要に応じてこの組数を増やしていけばよい。
【００２７】
以上述べた実施例では導光体の外形としては円形の場合につき述べたが先にも述べたように四角形、または円や四角形に準じる形であればよいのは勿論である。ただし、加熱コイルは一般的には円形であるため導光体も円形とすると加熱コイルの位置すなわち加熱部の位置もはっきりとし、しかも安定感に優れているので好ましい。
【００２８】
なお、本発明では加熱コイル全周にわたって発光する場合について説明したが必要に応じて半周などの加熱コイルの一部であってもよい。
【００２９】
以上のように、本実施例に拠れば天板上に点や線でなく全体にわたって連続した鮮明な図形を描くことができる。しかも光源の使用数も最低限なのでコスト的にも安価にできる。
【００３０】
【発明の効果】
本発明によれば光源と、その光源の光を受け加熱コイル外周の一部または全体にわたって発行する導光体より構成しているので、天板上に連続した鮮明な図形を表示することができ加熱状態を容易に視覚的にとらまえることができる。しかも光源の数を最小限としているので、生産性及びコストの面で優れたものとすることができる。さらに、請求項１に記載の発明によれば、天板上に濃淡の異なる図形を描くことができ、請求項２に記載の発明によれば、円形の加熱コイルに対して加熱部を明確に表示することができる。
【図面の簡単な説明】
【図１】本発明の一実施例の誘導加熱調理器の要部断面図
【図２】誘導加熱調理器の外観斜視図
【図３】本発明の一実施例の誘導加熱調理器の発光手段の平面図
【図４】同誘導加熱調理器の導光体の展開図
【図５】従来の誘導加熱調理器の要部断面図
【図６】従来の誘導加熱調理器の表示図形の例を示す図
【符号の説明】
５    本体ケース
６    天板
７    加熱部
１２  加熱コイル
１３  導光体
１４  光源
【図１】
0003573132.tif 000002
【図２】
0003573132.tif 000003
【図３】
0003573132.tif 000004
【図４】
0003573132.tif 000005
【図５】
0003573132.tif 000006
【図６】
0003573132.tif 000007